(57)【要約】      （修正有）【課題】市販の歯磨を使用可能にして補給の汎用性を高め、また形をコンパクトにして取扱容易で、また歯磨きの供給量の微細調節が容易なる歯磨き剤入り歯ブラシを提供する。  【解決手段】握り部１０内の収容室の歯磨き剤を歯ブラシ部に供給できる歯磨き剤入り歯ブラシにおいて、収容室８には押圧部材４０が摺動可能に嵌合され、その前方側には糸状体３５を引掛ける引掛軸２２が、後方側にはその糸状体３５の両端部を互いに逆方向に所定回数以上巻き付けられる駆動軸１８が設けられ、駆動軸１８の回動により糸状体３５の各端部はそれぞれ一方の巻取り時には他方は巻戻すようにされ、かつ引掛軸２２と駆動軸１８との間に張設された糸状体の一方側が押圧部材４０に固定されてなり、駆動軸１８の回動で一方側の糸状体が巻き取られて押圧部材が前進し歯磨き剤を歯ブラシ部１４に供給可能とし、駆動軸の逆方向の回動で押圧部材が後退するようにした歯ブラシ。【選択図】図１
0003115559.tif 000002
【実用新案登録請求の範囲】
【請求項１】
柄部を有する歯ブラシ部が握り部の一端に着脱可能に連結され、かつ握り部内に形成された歯磨き剤の収容室は、歯ブラシ部の柄部内を通って歯ブラシ部に開口する供給路に連通され、所定量の歯磨き剤を歯ブラシ部に供給可能とした歯ブラシにおいて、収容室には歯磨き剤を押出す押圧部材が摺動可能に嵌合されると共に押圧部材の前方側には糸状体を引掛ける引掛軸が、後方側には駆動軸自体に巻き付けられた糸状体を移動させ得る駆動軸が配置され、かつ駆動軸の一端寄りには引掛軸に引掛けられた糸状体の一端部が滑り不能に係止されると共に駆動軸の他端部寄りには糸状体の他端部が滑り不能に係止され、さらに駆動軸にはその両端部寄りにそれぞれ糸状体の各端部側が互いに逆方向に所定回数以上巻き付けられており、しかも前記引掛軸と駆動軸との間に張設された糸状体の一方側が押圧部材に固定されると共に糸状体の他方側は押圧部材に対し歯磨き剤が漏れないで摺動可能な状態に貫通して取り付けられてなり、駆動軸をある方向に回動することによって押圧部材に摺動可能に貫通している側の糸状体が巻き取られて押圧部材が前進し歯磨き剤を歯ブラシ部に供給可能とし、駆動軸を逆方向に回動することによって押圧部材が後退するようにした歯ブラシ。
【請求項２】
請求項１記載の歯ブラシにおいて、歯ブラシ部の柄部と握り部とをねじ部により着脱可能に結合し、あるいは駆動軸は糸状体の両端部をそれぞれ挿通して係止させ得る止め孔を間隔を隔てて設けるようにした歯ブラシ。
【請求項３】
請求項１もしくは２記載の歯ブラシにおいて、押圧部材はゴム製とし針を通して形成した微少孔に糸状体の一端側を締り嵌めの状態に摺動可能に挿通すると共に押圧部材に有底の小孔を設け、この小孔の底部に針を通して形成した微少孔に糸状体の他端側を通し、糸状体に設けた結節状部分を小孔内に押し込んで糸状体を押圧部材に固定するようにした歯ブラシ。
【請求項４】
請求項１〜３のいずれか１項に記載の歯ブラシにおいて、ゴムで構成された押圧部材の外周部には単数もしくは複数のリング状で所定幅の薄肉のフィン状部が形成され、あるいは外周部には単数もしくは複数の所定幅の逃し部が形成され、あるいは外周部には単数もしくは複数のＯリング溝が形成されると共に該Ｏリング溝にOリングを装着するようにし、あるいは押圧部材を合成樹脂で構成しその外周部に形成されたＯリング溝にＯリングを装着し、かつ押圧部材中には少なくともゴムの部分を設け該ゴムの部分に針を通して形成した微少孔に糸状体の一端側を締り嵌めの状態に摺動可能に挿通できるようにした歯ブラシ。
【請求項５】
請求項１〜４のいずれか１項に記載の歯ブラシにおいて、糸状体は植物性繊維、動物性繊維、合成樹脂の繊維を単独で、あるいはこれらの繊維の２種以上を撚り合わせて作った糸、合成樹脂製の釣糸、鋼製もしくはステンレス製または他の金属製のワイヤーのいずれかより選ばれたものである歯ブラシ。
【考案の詳細な説明】
【技術分野】
【０００１】
本考案は、歯磨き剤入り歯ブラシに関するものであり、特に市販の練り歯磨きを使用することができ、かつ歯磨き剤の供給量を微細に加減し得る歯磨き剤入り歯ブラシに関するものである。
【背景技術】
【０００２】
従来より歯磨き剤入り歯ブラシとしては、歯磨き剤はカートリッジ式のものが使用され、またカートリッジを使用せずピストンで押し出す式のものが使用されている。
例えば、特開昭５３−２９８５１号公報、特開平１０−１１３２３０号公報、特開２００１−５７９０８号公報等に記載の歯ブラシがこれである。
【０００３】
しかし、カートリッジ式のものはその歯ブラシ専用のカートリッジを使用しなければならないので中身の歯磨きがなくなったときの補充が容易でなく汎用性に欠け、また価格も高くなるという問題点があり、ピストン式のものではピストンを押し出すためのロッドが後方に突出するので嵩張りコンパクトでなく、また歯磨き剤の供給量の微細な調整が困難であるという問題点がある。 
【０００４】
【特許文献１】特開昭５３−２９８５１号公報
【特許文献２】特開平１０−１１３２３０号公報
【特許文献３】特開２００１−５７９０８号公報
【考案の開示】
【考案が解決しようとする課題】
【０００５】
解決しようとする問題点は、中身の歯磨きがなくなったときの補充が容易でなく汎用性に欠け、また価格も高くなるという点であるから市販の歯磨きを使用できるようにすることである。また、ピストン式では解決しようとする問題点は嵩張り、コンパクトでなく、また歯磨きの供給量の微調節が難しい点であるから、形をコンパクトにして、歯磨きの供給量の微調節を容易にすることである。
【０００６】
ところで、本願発明者は上記問題点を解決するため種々研究を続けているうちに、押圧部材（ピストンに相当）をロッドを使用せずに移動させ得ることを想到し、本願考案を完成したものである。
【０００７】
本考案はこのような事情を背景としてなされたものであり、本考案の目的は、第１に 市販の歯磨きを使用できるようにして歯磨き補給の汎用性を高め、同時に歯磨き補給時のコストを軽減し得る歯磨き剤入り歯ブラシを提供すること、第２に形を嵩張らないようにコンパクトにして取り扱い易くし、また歯磨きの供給量の微細な調節を容易になし得る歯磨き剤入り歯ブラシを提供することである。
【課題を解決するための手段】
【０００８】
上記目的を達成するためになされた本考案は、次のように構成される。
Ａ  柄部を有する歯ブラシ部が握り部の一端に着脱可能に連結され、かつ握り部内に形成された歯磨き剤の収容室は、歯ブラシ部の柄部内を通って歯ブラシ部に開口する供給路に連通され、所定量の歯磨き剤を歯ブラシ部に供給可能とした歯ブラシにおいて、収容室には歯磨き剤を押出す押圧部材が摺動可能に嵌合されると共に押圧部材の前方側には糸状体を引掛ける引掛軸が、後方側には駆動軸自体に巻き付けられた糸状体を移動させ得る駆動軸が配置され、かつ駆動軸の一端寄りには引掛軸に引掛けられた糸状体の一端部が滑り不能に係止されると共に駆動軸の他端部寄りには糸状体の他端部が滑り不能に係止され、さらに駆動軸にはその両端部寄りにそれぞれ糸状体の各端部側が互いに逆方向に所定回数以上巻き付けられており、しかも前記引掛軸と駆動軸との間に張設された糸状体の一方側が押圧部材に固定されると共に糸状体の他方側は押圧部材に対し歯磨き剤が漏れないで摺動可能な状態に貫通して取り付けられてなり、駆動軸をある方向に回動することによって押圧部材に摺動可能に貫通している側の糸状体が巻き取られて押圧部材が前進し歯磨き剤を歯ブラシ部に供給可能とし、駆動軸を逆方向に回動することによって押圧部材が後退するようにした歯ブラシ。
Ｂ  Ａ項記載の歯ブラシにおいて、歯ブラシ部の柄部と握り部とをねじ部により着脱可能に結合し、あるいは駆動軸は糸状体の両端部をそれぞれ挿通して係止させ得る止め孔を間隔を隔てて設けるようにした歯ブラシ。
Ｃ  Ａ項もしくはＢ項記載の歯ブラシにおいて、押圧部材はゴム製とし針を通して形成した微少孔に糸状体の一端側を締り嵌めの状態に摺動可能に挿通すると共に押圧部材に有底の小孔を設け、この小孔の底部に針を通して形成した微少孔に糸状体の他端側を通し、糸状体に設けた結節状部分を小孔内に押し込んで糸状体を押圧部材に固定するようにした歯ブラシ。
Ｄ  Ａ項〜Ｃ項のいずれか１項に記載の歯ブラシにおいて、ゴムで構成された押圧部材の外周部には単数もしくは複数のリング状で所定幅の薄肉のフィン状部が形成され、あるいは外周部には単数もしくは複数の所定幅の逃し部が形成され、あるいは外周部には単数もしくは複数のＯリング溝が形成されると共に該Ｏリング溝にOリングを装着するようにし、あるいは押圧部材を合成樹脂で構成しその外周部に形成されたＯリング溝にＯリングを装着し、かつ押圧部材中には少なくともゴムの部分を設け該ゴムの部分に針を通して形成した微少孔に糸状体の一端側を締り嵌めの状態に摺動可能に挿通できるようにした歯ブラシ。
Ｅ  Ａ項〜Ｄ項のいずれか１項に記載の歯ブラシにおいて、糸状体は植物性繊維、動物性繊維、合成樹脂の繊維を単独で、あるいはこれらの繊維の２種以上を撚り合わせて作った糸、合成樹脂製の釣糸、鋼製もしくはステンレス製または他の金属製のワイヤーのいずれかより選ばれたものである歯ブラシ。
【考案の効果】
【０００９】
本考案の歯磨き剤入り歯ブラシは、柄部を有する歯ブラシ部が握り部に着脱可能とされているので、これを外せば握り部内の歯磨き剤収容室が大きく開口でき、市販の歯磨きの補充が容易となり、汎用性が高まると共に、維持コストを軽減できるという利点がある。また、駆動軸の回動により糸状体を介して押圧部材を移動させ得るので、形がコンパクトで扱い易く、また歯磨きの供給量の微調節が容易であるという利点がある。
【考案を実施するための最良の形態】
【００１０】
（１） 市販の歯磨きを使用できるようにして歯磨き補給の汎用性を高め、同時に歯磨き補給時のコストを軽減し得る歯磨き剤入り歯ブラシを提供すること。（２）形を嵩張らないようにコンパクトにして取り扱い易くし、また歯磨きの供給量の微細な調節を容易になし得る歯磨き剤入り歯ブラシを提供するこという本考案の目的を、柄部を有する歯ブラシ部が握り部に着脱可能とすること、および駆動軸の回動により糸状体を介して押圧部材を移動させ得るようにするという簡単な構成により達成した。
【実施例１】
【００１１】
図１において、１０は握り部であり、柄部１２を有する歯ブラシ部１４はねじ部により着脱可能に取り付けられている。柄部１２の一端には図２に示すように雌ねじ部１３が形成されると共にその内部空間には柄部１２内を通り歯ブラシ部１４に開口する歯磨き剤の供給路１５が連通されている。８は歯磨き剤（練り歯磨き）の収容室である。なお、握り部１０には後述する有底円筒状のキャップ６８が着脱可能かつ摺動可能に嵌合され、歯ブラシ部１４を覆うようにされているが、３１はキャップ６８の端部が当接してそれ以上入らなくするためのキャップ停止用Ｏリングである。
【００１２】
握り部１０は図３に示すように円筒状部材からなりその一端部には雄ねじ部１６が形成され、前記柄部１２の雌ねじ部１３に螺着し得るようにされている。また、握り部１０の他端部には駆動軸１８を保持するための切込部２０が円周部の対象位置に形成されている。雄ねじ部１６の内側には丸棒状の引掛軸２２を保持するための切り込み溝２４が形成されている。
【００１３】
握り部１０は図４に示す閉塞部材２６により閉じられている。閉塞部材２６は握り部１０内に嵌り得る円形の閉塞部２８と、切り込部２０に嵌り込んで駆動軸１８を保持する保持部３０がその両端に突設されている。２９はフランジ部であり、閉塞部２８の位置決めをする部分である。
【００１４】
駆動軸１８は図５に示すように軸の一端につまみ３２が設けられ、他端には脱落防止用の縁部３４設けられ、その中間部にはこの駆動軸１８に巻き付けられた糸状体としての合成樹脂製の釣糸３５が絡まないように分離するための隔離用円板状部３６が設けられ、その両側には糸状体としての釣糸３６を挿通して止めるための小孔３８が設けられている。同図（ロ）は小孔３８に挿通した釣糸３５の端部を結んで止めた状態を示す。なお、駆動軸１８は、隔離用円板状部３６を境にした一方側と他方側は同じ径である。また、結び目１９は大きく誇張して示す。
【００１５】
握り部１０内には押圧部材４０が摺動可能に嵌合されている。握り部１０内の押圧部材４０の左側が歯磨き剤（練り歯磨き）を収容するための収容室８である。押圧部材４０は図６に示すようにゴム製の円形状の部材であり、円周には所定幅で薄肉環状のフィン状部４７が形成されると共に側方には有底の小孔４２が形成され、その底部には針を通したような微細な孔が設けられており、これに釣糸３５を通すと共に釣糸３５に設けた結節部４４を小孔４２に押し込んで釣糸３５を押圧部材４０に固定している。
その際、接着剤により小孔４４に結節部４４を接着し、釣糸３５の押圧部材４０への接着性を高めるようにしてもよい。フィン状部４７は収容室８内の気密状態を維持しつつ摺動抵抗を軽減させる効果がある。小孔４２の側方に設けた針で通したような微細な孔４６には釣糸３５の他方側が締まり嵌めの状態に摺動可能に挿通され、駆動軸１８を廻したとき押圧部材４０に対してこの他方側の釣糸３５が相対的に移動できるようにされている。
【００１６】
収容室８内の歯磨き剤が歯ブラシ部１４に送られる作用を示すと次の通りである。
駆動軸１８に巻き付けられた釣糸３５は図７の模式的説明図に示すように釣糸３５の一端側３５ａと他端側３５ｂは、それぞれ駆動軸１８の各端部側の軸部１８ａと１８ｂに所定回数互いに逆方向に巻き付けられると共に、釣糸３５の中間部は引掛軸２２に引っ掛けられる。図７においてつまみ３２側から見ると、軸部１８ａでは反時計方向に、軸部１８ｂでは時計方向に巻き付けられているので、つまみ３２を矢印方向に回転すると、釣糸３５ａは巻き取られるが釣糸３５ｂは巻き戻されことになる。すなわち、釣糸３５ａは右方向に、釣糸３５ｂは左方向に移動する。そして各軸部１８ａ、１８ｂは直径のサイズが同じであるので、巻取り量と巻戻し量は同じとなり、釣糸３５の動きはスムーズである。図７では、押圧部材４０は釣糸３５ｂ側に固定されているので、押圧部材４０は釣糸３５ｂと同方向、すなわち左方向に移動する。
【００１７】
一方、釣糸３５ａ側は押圧部材４０に対し摺動可能（相対移動可能）とされているので、押圧部材４０の移動を妨げることはない。従って、つまみ３２を矢印方向に回転すると、押圧部材４０は左方向に移動（前進）し、収容室８内の歯磨き剤を供給路１５を経て歯ブラシ部１４に送り、その開口部からブラシ立毛部の付け根付近に送出される。つまみ３２を逆方向に廻すと、押圧部材４０は右行（後退）する。また、駆動軸１８に対する釣糸３５ま巻き付け方向を逆にすれば。押圧部材４０の移動方向は逆になる。
本実施例によれば、駆動軸１８を廻して釣糸３５を介して押圧部材４０を移動するので、押圧部材４０の微細な送り調節が可能となり、歯磨き剤供給の微細な調節が可能である。
【００１８】
前記実施例では、押圧部材は円周にフィン状部４７が形成されているが、これに代えて図８に示す押圧部材を使用することも可能である。すなわち、図８（イ）に示す押圧部材５０は円周部に所定幅の逃し部５２を設けたものであり、図８（ロ）に示す押圧部材５４は円周部にＯリング溝５６を設け、Ｏリングを装着できるようにしたものであり、押圧部材５０、５４はいずれもゴム製である。また、押圧部材に対する釣糸の固定の仕方と摺動可能に取り付ける方法は前記実施例と同様である。図８（ハ）に示す押圧部材６０は合成樹脂製で円周部にＯリング溝６２を設けＯリングを装着するようにしたものであり、内部にはゴム部材６６が嵌め込まれており、このゴム部材６６に針を通して形成した微少孔に糸状体（釣糸３５）の一端側を締り嵌めの状態に摺動可能に挿通できるようにしたものである。釣糸３５の他方側を押圧部材に固定する方法については前記実施例と同様である。
【００１９】
また、釣糸３５に代えて、植物性繊維、動物性繊維、合成樹脂の繊維を単独で、あるいはこれらの繊維の２種以上を撚り合わせて作った糸、鋼製もしくはステンレス製のワイヤーのいずれかより選ばれた糸状体を使用することも可能である。
以上本考案の実施例を説明したが、本考案はこのような実施例に何ら限定されるものではなく、本考案の要旨を変更しない範囲において種々なる態様で実施をし得ることはもちろんである。
【産業上の利用可能性】
【００２０】
本考案の歯磨き剤入り歯ブラシの駆動軸を廻し糸状体を介して押圧部材（ピストン相当）を移動させる構成は、歯ブラシ以外のものにも適用可能である。
【図面の簡単な説明】
【００２１】
【図１】（イ）、（ロ）は本考案の一実施例を示す平面図と一部を破断した正面図である。
【図２】同実施例の一部品を示す正面図である。
【図３】（イ）〜（ハ）は同実施例の他の部品を示す正面図、左拡大側面図と部分拡大断面図である。
【図４】（イ）、（ロ）は同実施例のさらに他の部品を示す正面図と側面図である。
【図５】（イ）、（ロ）は同実施例の別の部品を示す正面図と使用説明図である。
【図６】（イ）、（ロ）は同実施例のさらに別の部品を示す断面図と平面図である。
【図７】同実施例の作動原理説明図である。
【図８】（イ）〜（ハ）は同実施例に使用できる他の押圧部材の実施例を示す説明図である。
【図９】（イ）、（ロ）は同実施例に使用するさらにまた異なる部品の正面図と側面図である。
【符号の説明】
【００２２】
１０  握り部
１２  柄部
１４  歯ブラシ部
１８  駆動軸
２２  引掛軸
３５  釣糸（糸状体）
４０  押圧部材
４４  結節部
４７  フィン状部
５０  押圧部材
５２  逃し部
５４  押圧部材
６０  押圧部材
【図１】
0003115559.tif 000003
【図２】
0003115559.tif 000004
【図３】
0003115559.tif 000005
【図４】
0003115559.tif 000006
【図５】
0003115559.tif 000007
【図６】
0003115559.tif 000008
【図７】
0003115559.tif 000009
【図８】
0003115559.tif 000010
【図９】
0003115559.tif 000011